(57)【要約】【課題】遊技機の内枠裏面側の限られた設計空間内で制御基板の設計領域を拡大し、施錠が確実に行なえる遊技機の施錠装置を提供する。【解決手段】スライド錠Ｒは内枠３裏面側であって外枠１の上横枠部２５近傍の上空間部Ｊ及び幕板１７上方近傍の下空間部Ｋに外枠１との係合部が各々設けられる。【選択図】図７
2008104603.tif 000002
【特許請求の範囲】
【請求項１】
遊技機の外形を規定する矩形状の外枠と、
前記外枠の前面にヒンジ部を中心に開閉可能に設けられ、前面側に遊技盤が設けられ背面側に制御基板が設けられる内枠と、
前記内枠の開放端側裏面に縦枠部に沿って設けられ、内枠が外枠に嵌め込まれると施錠し、内枠の前面側に設けられたシリンダー錠を所定方向へ回転させると開錠するスライド錠を備え、
前記スライド錠は内枠裏面側であって外枠の上横枠部近傍の上空間部及び幕板上方近傍の下空間部に外枠との係合部が各々設けられる遊技機の施錠装置。
【請求項２】
前記施錠装置は、内枠裏面側に固定される断面Ｌ字状のベース部材と、該ベース部材の起立壁に沿ってスライド可能に設けられ両端側に係合フックが設けられたスライド部材を備え、一端側の係合フックが外枠の上横枠部内面に突設された鉤受け金具と係合する請求項１記載の遊技機の施錠装置。
【請求項３】
前記施錠装置は、他端側の係合フックが外枠の開放側縦枠部の内面に突設された鉤受け金具と係合する請求項２記載の遊技機の施錠装置。
【請求項４】
前記施錠装置は、他端側の係合フックが外枠の下横枠部の前面側に設けられる幕板に突設された鉤受け金具と係合する請求項２記載の遊技機の施錠装置。
【請求項５】
前記施錠装置は、スライド部材の両端側に係合フックが一体に設けられ、上係合フックが外枠の上横枠部近傍へスライドして鉤受け金具と各々係合する施錠位置と下係合フックが幕板近傍へスライドして上下係合フックの係合が解除される開錠位置との間をスライド可能に設けられている請求項１乃至請求項４のいずれか１項に記載の遊技機の施錠装置。
【発明の詳細な説明】
【技術分野】
【０００１】
本発明は、遊技機の外形をなす外枠に遊技盤が組付けられる内枠とガラス枠を有する前面枠とが重ね合わされて各々施錠される遊技機の施錠装置に関する。
【背景技術】
【０００２】
ぱちんこ遊技機は、遊技機の外形をなす外枠に対して内枠及び前面枠が、例えば当該前面枠を正面視して左側の縦枠部の上下に設けられたヒンジを中心に開閉可能に設けられている。
【０００３】
内枠の前面側には液晶画面を備えた可変表示装置や入賞口、釘などが設けられた遊技盤や該遊技盤に向かって遊技球を発射する発射装置などが設けられている。また内枠の裏面側には遊技球の貯留タンク、タンクレール、可変表示装置の画像処理を行う画像処理基板、賞球払出装置、遊技機全体の動作を制御する主制御基板、賞球払出装置の払出動作を制御する払出制御基板、発射装置の発射動作を制御する発射制御基板、などが設けられている。
また、前面枠にはガラス枠が嵌め込まれておりガラス枠の下部には賞球の受け皿や発射装置を起動するハンドルなどが設けられている。
【０００４】
上述した遊技機の外枠と内枠の間、内枠と前面枠との間に隙間ができると、不正行為が行なわれやすいことから、これらは施錠装置により施錠されている。例えば、図９において、外枠５１と内枠５２のスライド錠Ｒを例示すると、内枠５２の開放端裏面側に上下方向に沿って断面Ｌ字状のベースプレート５３が固定されている。ベースプレート５３の起立壁５４にはスライド部材５５がスライド可能に連繋している。スライド部材５５の中途部分には２箇所に係合フック５６が設けられている。係合フック５６は、外枠５１の縦枠部５７に内枠５２側に突設された係合金具５８と係合する施錠位置と係合解除する開錠位置との間をスライドする。スライド部材５５は常時施錠位置にあるように図示しないばねにより一方向へ付勢されている。ベースプレート５３にはシリンダー錠５９（図１０；図９の矢印Ａ−Ａの部分断面参照）が設けられており、該シリンダー錠５９を回転させると、スライド部材５５が施錠位置から開錠位置へスライドするようになっている。
【０００５】
また、他の構成として、スライド部材に鉤状の係合フックが複数個所で回転可能に設けられ、外枠の縦枠部に内枠側へ突設された鉤受け金具と係合するようになっている。また、スライド部材の一端に係合ロッドが連繋しており、外枠の横枠部に設けられた係合穴に進退可能に設けられている。即ち、内枠の不正開放を防ぐため、外枠の縦枠部と横枠部の双方で施錠するようになっている。前面枠側に設けられた鍵穴からシリンダー錠を操作することによりスライド部材を付勢力に抗して所定方向へスライドするようになっている。このスライド部材のスライドにより係合金具に係合する係合フックと係合穴に係合する係合ロッドを施錠位置からこれらの係合が解除される開錠位置へ変位させるようになっている（特許文献１参照）。
【特許文献１】特開２００４−１５４３１６号公報
【発明の開示】
【発明が解決しようとする課題】
【０００６】
上述した遊技機のスライド錠Ｒによれば、図１０において外枠５１の縦枠部５７に内枠５２に向けて複数箇所で係合金具５８が突設されている。スライド錠Ｒを開錠して遊技盤６０や可変表示装置６１が組み付けられた内枠５２を外枠５１から開閉する際、可変表示装置６１と係合金具５８の干渉を避けるためスペースを設ける必要があった。
また、近年遊技盤６０の遊技領域拡大により、内枠裏面側の構造物（画像処理制御基板、主制御基板、可変表示装置等）６１の設置領域が拡大する傾向にある。しかしながら、外枠５１自体の大きさは変わらないため、スライド錠Ｒと賞球払出装置６２に囲まれた内枠５２の裏面側の設計空間が厳しくなる。
【０００７】
本発明は、このような事情に鑑みてなされたもので、遊技機の内枠裏面側の限られた設計空間内で制御基板の設計領域を拡大し、施錠が確実に行なえる遊技機の施錠装置を提供することにある。
【課題を解決するための手段】
【０００８】
本発明は上記目的を達成するため、次の構成を備える。
遊技機の外形を規定する矩形状の外枠と、前記外枠の前面にヒンジ部を中心に開閉可能に設けられ、前面側に遊技盤が設けられ背面側に制御基板が設けられる内枠と、前記内枠の開放端側裏面に縦枠部に沿って設けられ、内枠が外枠に嵌め込まれると施錠し、内枠の前面側に設けられたシリンダー錠を所定方向へ回転させると開錠するスライド錠を備え、前記スライド錠は内枠裏面側であって外枠の上横枠部近傍の上空間部及び幕板上方近傍の下空間部に外枠との係合部が各々設けられることを特徴とする。
【０００９】
また、前記施錠装置は、内枠裏面側に固定される断面Ｌ字状のベース部材と、該ベース部材の起立壁に沿ってスライド可能に設けられ両端側に係合フックが設けられたスライド部材を備え、一端側の係合フックが外枠の上横枠部内面に突設された鉤受け金具と係合することを特徴とする。
【００１０】
また、前記施錠装置は、他端側の係合フックが外枠の開放側縦枠部の内面に突設された鉤受け金具と係合する、或いは他端側の係合フックが外枠の下横枠部の前面側に設けられる幕板に突設された鉤受け金具と係合することを特徴とする。
【００１１】
また、前記施錠装置は、スライド部材の両端側に係合フックが一体に設けられ、上係合フックが外枠の上横枠部近傍へスライドして鉤受け金具と各々係合する施錠位置と下係合フックが幕板近傍へスライドして上下係合フックの係合が解除される開錠位置との間をスライド可能に設けられていることを特徴とする。
【発明の効果】
【００１２】
上述した遊技機の施錠装置を用いれば、スライド錠は内枠裏面側であって外枠の上横枠部近傍の上空間部及び幕板上方近傍の下空間部に外枠との係合部が各々設けられる。これにより、外枠の内枠裏面側の構造物に隣接する部位にはスライド錠の係合部を構成する鉤受け金具は存在しないため、内枠の開閉に伴って構造物が外枠の係合部と干渉するおそれはなく、遊技機の内枠裏面側の限られた設計空間内で制御基板の設計領域を可能な限り拡大することができる。
【００１３】
施錠装置は、内枠裏面側に固定される断面Ｌ字状のベース部材と、該ベース部材の起立壁に沿ってスライド可能に設けられ両端側に係合フックが設けられたスライド部材を備え、一端側の係合フックが外枠の上横枠部内面に突設された鉤受け金具と係合するようになっており、他端側の係合フックが外枠の開放側縦枠部の内面に突設された鉤受け金具と係合する、或いは他端側の係合フックが外枠の下横枠部の前面側に設けられる幕板に突設された鉤受け金具と係合すると、遊技機の機種変更があっても施錠装置の大掛かりな改変をすることなくしかも少ない部品点数で確実な施錠を行なうことができる。
【００１４】
施錠装置は、スライド部材の両端側に係合フックが一体に設けられ、上係合フックが外枠の上横枠部近傍へスライドして鉤受け金具と各々係合する施錠位置と下係合フックが幕板近傍へスライドして上下係合フックの係合が解除される開錠位置との間をスライド可能に設けられていると、施錠位置における施錠確実性や不正防止機能が向上し、シリンダー錠の回転操作でスライド部材をスライドさせて開錠できるので、操作性も良い。
【発明を実施するための最良の形態】
【００１５】
以下、本発明に係る遊技機の施錠装置の実施形態について図面を参照しながら具体的に説明する。
図８においてぱちんこ遊技機の概略構成について説明する。遊技機は、矩形状の外枠１にヒンジ機構２によって前面側に開閉可能に設けられる内枠３（図７参照）と、当該ヒンジ機構２によって内枠３に開閉可能に設けられる前面枠４を備えている。
内枠３には遊技盤５が支持されている。遊技盤５の盤面にはレール６、可変表示装置７、始動入賞口８、通過ゲート９、風車１０、アタッカー１１ａ、チャッカー１１ｂ、アウトロ１２、などの盤面部品が装着されている。前面枠４には、遊技盤５を覆うガラス枠１３、遊技球を遊技盤５に向かって発射する発射装置を起動するハンドル１４、遊技球を一時的に貯留し賞球が払い出される受け皿１５などが設けられている。
【００１６】
前面枠４に設けられた貫通孔には内枠３に設けられるシリンダー錠の鍵穴部１６が臨むように設けられている。後述するスライド錠により、外枠１と内枠３が施錠されかつ内枠３と前面枠４も施錠されている。そして、鍵穴部１６に図示しない鍵を差し込み、後述するシリンダー錠を一方向へ回転することにより内枠３が開錠され、また、他方向へ回転することにより前面枠４が開錠されるようになっている。また、外枠１の下横枠部２６には、前面枠４の下部を覆う幕板１７が設けられている。
【００１７】
図７において、内枠３の裏面側には、例えば以下の構造物が設けられている。
内枠裏面側の上部には、賞球を貯留する貯留タンク１８が配設されている。貯留タンク１８の下方にはタンクレール１９が配設されている。タンクレール１９は、賞球を貯留タンク１８から下流側の賞球払出装置２０へ供給する。タンクレール１９の下方には、可変表示装置７の画像処理制御基板２１ａ、遊技機の主制御基板２１ｂ、賞球払出装置２０の払出制御基板２２、図示しない発射装置の発射制御基板２３、電源基板２４などが設けられている。
【００１８】
また、図７において、内枠３の開放端側裏面には外枠１の縦枠部に沿ってスライド錠Ｒが設けられている。スライド錠Ｒは、内枠３が外枠１に嵌め込まれると施錠し、内枠３の前面側に設けられたシリンダー錠を所定方向へ回転させると開錠する。スライド錠Ｒは、外枠１の上横枠部２５近傍の（例えば内枠裏面側の貯留タンク１８上方と外枠１の上横枠部２５に囲まれた）上空間部Ｊと外枠１の縦枠部３３と下横枠部２６に囲まれ幕板１７上方近傍の下空間部Ｋに各々係合部が設けられている。
【００１９】
ここで、図７及び図１を参照してスライド錠Ｒの具体的な構成例について説明する。
図７において、内枠３の開放端側裏面には断面Ｌ字状のベース部材２７が固定されている。ベース部材２７にはシリンダー錠２８（図１参照）が設けられている。ベース部材２７の起立壁２９には、上下端部に係合フック３０、３１が一体に設けられた第１のスライド部材３２がスライド可能に設けられている。起立壁２９は第１のスライド部材３２の取付面であると共にスライドをガイドするガイド面となる。また、外枠１の上横枠部２５内面に鉤受け金具３４が垂設されており、外枠１の開放側縦枠部３３の内面には鉤受け金具３５が突設されている。
【００２０】
図１において、シリンダー錠２８は、ベース部材２７の一部に固定されており、第１のスライド部材３２とカム機構３６（図７参照）を介して連繋している。第１のスライド部材３２は、ベース部材２７との間に図示しないばねが設けられており、常時施錠位置（図１の実線位置）へ付勢されている。第１のスライド部材３２の係合フック３０、３１は、施錠状態において鉤受け金具３４、３５と各々係合している。第１のスライド部材３２は上係合フック３０が外枠１の上横枠部２５近傍へスライドして上下係合フック３０、３１と鉤受け金具３４、３５が各々係合する施錠位置と下係合フック３１が幕板１７近傍へスライドして上下係合フック３０、３１の係合が各々解除される開錠位置との間をスライドするように設けられている。
【００２１】
上下係合フック３０、３１には鉤受け金具３４、３５と当接する案内部３０ａ，３１ａが形成されている。上下係合フック３０、３１先端部には、案内部３０ａ，３１ａに連なる鉤状部３０ｂ、３１ｂが形成されている。上下係合フック３０、３１は施錠状態において鉤状部３０ｂ、３１ｂが上下鉤受け金具３４、３５と各々係合するようになっている。
【００２２】
図２において、下係合フック３１の鉤状部３１ｂの先端部は鉤受け金具３５と交差して係合するため、内枠３は外枠１に施錠されている。シリンダー錠２８の回転により、スライド部材３２を図１の実線位置から破線位置へスライドさせて鉤状部３０ｂ、３１ｂの上下鉤受け金具３４、３５との係合を解除すると、内枠３を外枠１から開放することができる。また内枠３を外枠１に嵌め込む際には、案内部３０ａ、３１ａが鉤受け金具３４、３５に当接してスライド部材３２が付勢力に抗して一時的にスライドして鉤状部３０ｂ、３１ｂが上下鉤受け金具３４、３５と各々係合して施錠される。
【００２３】
図７において、鉤受け金具３４、３５は、スライド部材３２のスライド限界近傍（上横枠部２５近傍、幕板１７上方近傍）に設けられるため、画像処理制御基板２１ａや主制御基板２１ｂと縦枠部３３との間に障害物はなくなる。このため、内枠３の開閉に伴って外枠１と干渉するおそれはなく、遊技盤５の可変表示装置７の設置領域の拡大に合わせて画像処理制御基板２１ａや主制御基板２１ｂの大きさも可能な限り拡大することができる。
【００２４】
図１０において、外枠１より内枠３を開放した際に画像処理制御基板２１ａ、主制御基板２１ｂ、可変表示装置７等を含む構造物６１の描く従来の回転軌跡をＥ、本実施例に係る回転軌跡をＦとして表示されている。これにより、内枠３の裏面側に設けられる構造物６１の設置領域も領域Ｇから領域Ｈへ拡大することができる。
【００２５】
尚、図７において起立壁２９（図２参照）の反対面側には、第２のスライド部材３７がスライド可能に設けられている。第２のスライド部材３７には複数箇所に係合フック３８（図１参照）が各々設けられている。これらの係合フック３８は、前面枠４に設けられる鉤受け部材（図示せず）と係合するようになっている。この第２スライド部材３７はシリンダー錠２８の回転によりスライドさせて係合フック３８と図示しない鉤受け金具との係合を解除することで前面枠４を内枠３から開放することができる。
【００２６】
次に、スライド錠Ｒの他の構成例について、図３乃至図６を参照して説明する。スライド錠の概略構成や上鉤受け金具の配置構成は同様であるので、下鉤受け金具の配置構成を中心に説明する。
図３において、下鉤受け金具３５は、外枠１の下横枠部２６の前面に設けられる幕板１７に立設されている。幕板１７の内面側は空間となっているため、この空間部Ｋを有効に利用することができる。図４において、下鉤受け金具３５は外枠１の開放端側縦枠部３３の近傍であって幕板１７の裏面側に固定されている。下鉤受け金具３５は、全体的にクランク形状をしており、その上端側に鉤受け部３９が内枠３側に突設されている。鉤受け部３９には、第１のスライド部材３２の下係合フック３１が係合するようになっている。
幕板１７の近傍位置は、内枠３の裏面側でも空間部Ｋとなっているため、内枠３を開放する際に、鉤受け部３９と内枠３が干渉するおそれはない。
【００２７】
次にスライド錠Ｒの他例について図５及び図６を参照して説明する。
スライド錠の概略構成や上鉤受け金具の配置構成は同様であるので、下鉤受け金具の配置構成を中心に説明する。
図５において、下鉤受け金具３５は、外枠１の下横枠部２６の前面に設けられる幕板１７に立設されている。幕板１７の内面側は空間となっているため、この空間部Ｋを有効に利用することができる。図６において、下鉤受け金具３５は外枠１の開放端側縦枠部３３の近傍であって幕板１７の裏面側に固定されている。下鉤受け金具３５は、全体的にクランク形状をしており、その上端側に鉤受け孔４０が穿孔されている。鉤受け孔４０には第１のスライド部材３２の下係合フック３１が係合するようになっている。下係合フック３１は、鉤状部３１ｂの係合が外れると、案内部３１ａに案内されて下係合フック３１が鉤受け孔４０より抜け出るようになっている。
【００２８】
なお、本発明では遊技機の一例としてぱちんこ遊技機について説明したが、他に例えばアレンジボール機、パチスロ機、雀球機等の施錠装置が設けられる他の遊技機に適用できる。
【図面の簡単な説明】
【００２９】
【図１】外枠及び内枠の施錠装置の断面説明図である。
【図２】図１の下鉤受け金具の説明図である。
【図３】他例に係る外枠及び内枠の施錠装置の断面説明図である。
【図４】図３の下鉤受け金具の説明図である。
【図５】他例に係る外枠及び内枠の施錠装置の断面説明図である。
【図６】図５の下鉤受け金具の説明図である。
【図７】遊技機の背面説明図である。
【図８】遊技機の正面説明図である。
【図９】従来の遊技機の施錠装置の説明図である。
【図１０】図９の矢印Ａ−Ａの部分断面図である。
【符号の説明】
【００３０】
１  外枠
２  ヒンジ機構
３  内枠
４  前面枠
５  遊技盤
６  レール
７  可変表示装置
８  始動入賞口
９  通過ゲート
１０  風車
１１ａ  アタッカー
１１ｂ  チャッカー
１２  アウトロ
１３  ガラス枠
１４  ハンドル
１５  受け皿
１６  鍵穴部
１７  幕板
１８  貯留タンク
１９  タンクレール
２０  賞球払出装置
２１ａ  画像処理制御基板
２１ｂ  主制御基板
２２  払出制御基板
２３  発射制御基板
２４  電源基板
２５  上横枠部
２６  下横枠部
２７  ベース部材
２８  シリンダー錠
２９  起立壁
３０，３１  係合フック
３２  第１のスライド部材
３３  縦枠部
３４、３５  鉤受け金具
３６  カム機構
３７  第２のスライド部材
３８  係合フック
３９  鉤受け部
４０  鉤受け孔
【図１】
2008104603.tif 000003
【図２】
2008104603.tif 000004
【図３】
2008104603.tif 000005
【図４】
2008104603.tif 000006
【図５】
2008104603.tif 000007
【図６】
2008104603.tif 000008
【図７】
2008104603.tif 000009
【図８】
2008104603.tif 000010
【図９】
2008104603.tif 000011
【図１０】
2008104603.tif 000012